(57)【要約】【課題】樹脂成形品と発泡樹脂成形品をボスの締結加工により接合一体化する際、発泡樹脂成形品の締結位置を安定化させることで組み付け精度を向上させる。【解決手段】トリムアッパー（樹脂成形品）２０とトリムロア（発泡樹脂成形品）３０とを接合一体化してラゲージサイドトリム１０を組み付ける。上記トリムロア３０の取付孔３３の周縁に複数の環状リブ３４，３５を突設し、トリムアッパー２０における溶着用ボス２１周囲の補強リブ２２面に複数の環状リブ３４，３５を突当てる支持構造を採用することにより、トリムアッパー２０とトリムロア３０の締結位置を安定化させ、トリムアッパー２０とトリムロア３０との組み付け精度を高める。【選択図】図３
2010234688.tif 000002
【特許請求の範囲】
【請求項１】
可動側金型（５０）と固定側金型（６０）との間で画成されるキャビティ（Ｃ）内に発泡樹脂材料（Ｍ）を射出充填した後、可動側金型（５０）を後退操作することにより、発泡スペース（Ｓ）を確保し、所要形状に発泡成形してなる発泡樹脂成形品（３０）と、所要形状に成形された樹脂成形品（２０）との接合構造であって、樹脂成形品（２０）の裏面に立設した溶着用ボス（２１）を発泡樹脂成形品（３０）の取付孔（３３）内に挿入した後、溶着用ボス（２１）の締結操作を行なう発泡樹脂成形品（３０）の接合構造において、
前記発泡樹脂成形品（３０）における取付孔（３３）周囲における樹脂成形品（２０）対向側には、取付孔（３３）を基点として同心上の環状リブ（３４，３５）が複数個突設形成されていることにより、発泡樹脂成形品（３０）の発泡成形時において、取付孔（３３）近傍の形状出しを精度良く行なうことができる一方、樹脂成形品（２０）と発泡樹脂成形品（３０）とを接合固定する位置決め時には、樹脂成形品（２０）の溶着用ボス（２１）を発泡樹脂成形品（３０）の取付孔（３３）内に挿入し、取付孔（３３）周縁の環状リブ（３４，３５）を樹脂成形品（２０）の裏面に当接させることにより、樹脂成形品（２０）に対する発泡樹脂成形品（３０）の締結位置を一定に制御しつつ、溶着用ボス（２１）の締結固定作業が行なわれることを特徴とする発泡樹脂成形品の接合構造。
【発明の詳細な説明】
【技術分野】
【０００１】
この発明は、発泡樹脂材料の射出充填工程と発泡成形工程とで金型の型クリアランスを可変させる成形工法を採用して成形した発泡樹脂成形品と相手側の樹脂成形品とを接合させる発泡樹脂成形品の接合構造に係り、特に、樹脂成形品の締結用ボスを発泡樹脂成形品の取付孔に挿入して締結加工する際の発泡樹脂成形品の締結位置を安定化させることで、樹脂成形品と発泡樹脂成形品の組み付け精度を著しく高めた発泡樹脂成形品の接合構造に関する。
【背景技術】
【０００２】
図１４は車両のラゲージルームの側壁パネルの室内面に装着されるラゲージサイドトリム１の正面図であり、ラゲージサイドトリム１は、トリムアッパー２とトリムロア３との上下二分割体を接合固定して構成されている。この従来例においては、トリムアッパー２は樹脂成形品を採用し、トリムロア３は発泡樹脂成形品が採用されている。そして、トリムアッパー２とトリムロア３は、図１５に示すように、トリムアッパー２の下縁側がトリムロア３の上縁の表面側にオーバーラップするように両者を位置決めし、オーバーラップ部分においてトリムアッパー２の裏面にボス４を立設し、このボス４をトリムロア３の取付孔５内に挿入して、ボス４の先端を熱溶着、超音波溶着等の溶着加工による締結加工を施し、トリムアッパー２とトリムロア３とを強固に接合固定しているのが実情である。
【０００３】
次に、トリムアッパー２、トリムロア３の成形方法について簡単に説明する。トリムアッパー２は、通常の射出成形金型内に熱可塑性樹脂材料を射出充填することで所要形状に成形されるが、トリムロア３の成形については、図１６に示す成形金型６が使用されている。この成形金型６は、可動側金型７と固定側金型８とから大略構成され、可動側金型７は、駆動シリンダ７ａの駆動により、固定側金型８に対して型開き、型締めが行なわれる。また、可動側金型７と固定側金型８との間に画成されるキャビティＣ内に発泡樹脂材料Ｍを供給する供給系としては、射出機８ａが固定側金型８に連結され、この射出機８ａから供給される発泡樹脂材料Ｍの供給経路として、固定側金型８にはホットランナ８ｂ、ゲート８ｃが設けられている。そして、発泡樹脂材料Ｍの射出充填工程が完了すれば、可動側金型７を微小ストローク後退操作させて、型クリアランスを拡げた後、発泡樹脂材料Ｍの発泡成形を行なわせることで製品表面はスキン層３ａ、内部は発泡層３ｂの二層構造からなるトリムロア３の成形が完了する。
【０００４】
更に詳しくは、トリムロア３に開設される取付孔５については、図１７に示すように、可動側金型７に円筒状の突部７ｂが立設され、固定側金型８の型面には、円筒状の突部７ｂの先端を収容する凹部８ｄが設けられている。そして、図１７（ａ）は発泡樹脂材料Ｍの射出充填工程を示し、図１７（ｂ）は型クリアランスを大きく保つ発泡成形工程を示しており、突部７ｂは、発泡樹脂材料Ｍの射出充填工程では、固定側金型８の凹部８ｄ内に充分嵌まり込んでおり、可動側金型７を後退操作させた時には、凹部８ｄ内を上方に移行する。尚、発泡樹脂材料Ｍの射出充填工程と、型クリアランスを大きく確保した発泡成形工程の二つの工程を採用した発泡樹脂成形品の製造方法の従来例としては、特許文献１に詳細に記載されている。
【先行技術文献】
【特許文献】
【０００５】
【特許文献１】特開２００２−１２０２５２号公報
【発明の概要】
【発明が解決しようとする課題】
【０００６】
このように、従来のラゲージサイドトリム１におけるトリムロア（発泡樹脂成形品）３の成形方法においては、可動側金型７と固定側金型８との間の型クリアランスを調整することで、精度の良い成形を行なっている。すなわち、型クリアランスを小さくして、発泡を抑えた状態で発泡樹脂材料ＭをキャビティＣ内に供給できるとともに、発泡反応時には、型クリアランスを大きく設定することで、最終製品形状にトリムロア３を精度良く成形することができる。
【０００７】
しかしながら、トリムロア３に取付孔５を開設する際、図１７（ｂ）に示すように、取付孔５縁部の形状は、コーナー部に形状垂れが生じる傾向にあり、そうした場合、図１８に示すように、取付孔５の周囲には、図中符号ａで示す範囲において、形状垂れが生じ易く、トリムアッパー２とトリムロア３とを位置決めした後、ボス４を締結加工する際、図中符号ｂで示すバラツキが生じ、締結位置が安定せず、トリムアッパー２とトリムロア３との組み付け精度にバラツキが生じるという不具合が指摘されている。
【０００８】
この発明は、このような事情に鑑みてなされたもので、相互に型開き、型締め可能な可動側金型、固定側金型とからなる成形金型を使用し、発泡樹脂材料の射出充填工程と発泡成形工程とで金型の型クリアランスを可変させた発泡樹脂成形品の成形方法を採用して成形した発泡樹脂成形品を相手側の樹脂成形品と接合させる発泡樹脂成形品の接合構造において、取付孔近傍の形状出しが精度良く行なえ、相手側の樹脂成形品に対する締結位置を安定化させることができ、精度の良い組み付けを可能とした発泡樹脂成形品の接合構造を提供することを目的とする。
【課題を解決するための手段】
【０００９】
上記目的を達成するために本発明は、可動側金型と固定側金型との間で画成されるキャビティ内に発泡樹脂材料を射出充填した後、可動側金型を後退操作することにより、発泡スペースを確保し、所要形状に発泡成形してなる発泡樹脂成形品と、所要形状に成形された樹脂成形品との接合構造であって、樹脂成形品の裏面に立設した溶着用ボスを発泡樹脂成形品の取付孔内に挿入した後、溶着用ボスの締結操作を行なう発泡樹脂成形品の接合構造において、前記発泡樹脂成形品における取付孔周囲における樹脂成形品対向側には、取付孔を基点として同心上の環状リブが複数個突設形成されていることにより、発泡樹脂成形品の発泡成形時において、取付孔近傍の形状出しを精度良く行なうことができる一方、樹脂成形品と発泡樹脂成形品とを接合固定する位置決め時には、樹脂成形品の溶着用ボスを発泡樹脂成形品の取付孔内に挿入し、取付孔周縁の環状リブを樹脂成形品の裏面に当接させることにより、樹脂成形品に対する発泡樹脂成形品の締結位置を一定に制御しつつ、溶着用ボスの締結固定作業が行なわれることを特徴とする。
【００１０】
ここで、成形金型における可動側金型は、固定側金型に対して型開き、型締めできるように、シリンダ、あるいはプレスラム等により所定ストローク可動できるとともに、特に、発泡樹脂材料の射出充填工程における可動側金型と固定側金型との狭い型クリアランスを確保する第１の金型位置と、第１の金型位置から所定ストローク可動側金型を後退させて発泡スペースを確保する第２の金型位置とを備えるように、可動側金型のストロークが設定される。
【００１１】
一方、固定側金型には、発泡樹脂材料をキャビティ内に供給するために、ホットランナ、ゲート等の樹脂通路が設けられている。そして、発泡樹脂成形品に取付孔を開設するために、可動側金型には固定側金型側に向く円筒状の突部が突設形成されており、この突部の形状並びに寸法は、発泡樹脂成形品に開設する取付孔の形状、寸法に対応して設定されている。そして、この突部の周縁には、環状の周溝が同心上に複数個形成されており、その結果、発泡樹脂成形品における取付孔の周縁には、複数の環状リブが同心上に形成されることになる。
【００１２】
従って、可動側金型が後退して発泡スペースを確保する発泡成形工程においては、発泡樹脂材料の半成形品の取付孔近傍部分は、金型側の複数の周溝内に半成形品の環状リブが嵌着することで、可動側金型の後退動作に追随して、半成形品の取付孔縁部が可動側金型側に引き寄せられることになり、取付孔コーナー部における形状垂れを回避することができ、精度の良い形状出しが可能となる。
【００１３】
ここで、樹脂成形品と発泡樹脂成形品との組み合わせとしては、例えば、ドアトリム、リヤサイドトリム、ラゲージサイドトリム等の車両の側壁パネルの室内面に装着される比較的大型の内装部品であって、トリムアッパーとトリムロアの上下二分割体、あるいはトリムアッパー、トリムセンター、トリムロア等、上下三分割体等の各パーツを接合固定する構造に適用される。トリムアッパーとトリムロアの上下二分割体を例にとると、トリムアッパーを樹脂成形品、トリムロアを発泡樹脂成形品で構成し、トリムアッパーの裏面に突設した溶着用ボスをトリムロアの取付孔に挿入して、溶着用ボスの先端をカシメ加工等で締結加工することで両者が一体化される。また、ドアトリム本体にポケットバックカバーを取り付ける際、ドアトリム本体を発泡樹脂成形品、ポケットバックカバーを樹脂成形品で構成し、ポケットバックカバーのボスをドアトリム本体の取付孔に挿入して、ボスを締結加工することで、組み付ける形態に適用することもできる。
【００１４】
更に、本発明に係る発泡樹脂成形品の接合構造は、樹脂成形品の裏面にボスを立設するが、このボスは、溶着用ボス、あるいはビス止め用ボスのいずれでも良い。そして、このボスを発泡樹脂成形品の取付孔内に挿入して、ボスの先端を超音波溶着、熱溶着等の溶着カシメ加工、あるいはビスにより締結固定する。その際、発泡樹脂成形品の取付孔の縁部は、複数の環状リブが同心上に突設形成され、複数の環状リブの先端を樹脂成形品の裏面に当接させることで、常に樹脂成形品に対する発泡樹脂成形品の締結位置を安定化させることができ、両者の組み付け精度を良好に維持することができる。
【発明の効果】
【００１５】
以上説明した通り、本発明に係る発泡樹脂成形品の接合構造によれば、射出充填時の型クリアランスと発泡反応時の型クリアランスを可変させて、発泡樹脂成形品を成形する成形方法を採用し、特に、発泡樹脂成形品に取付孔を開設するために設けた円筒状の突部の根元周縁には、環状の周溝を複数個設けることで、可動側金型の後退時、未発泡状態の半成形品の取付孔縁部を可動側金型の動作と追随させるようにしたから、取付孔縁部の形状出しを精度良く行なえるとともに、特に、樹脂成形品と発泡樹脂成形品とを締結用ボスの締結加工により接合一体化する際、発泡樹脂成形品の取付孔周りに設けた複数の環状リブの先端を樹脂成形品の裏面に当接させて両者の締結位置を安定化させることができるため、常に一定の組み付け精度が得られるという効果を有する。
【図面の簡単な説明】
【００１６】
【図１】本発明に係る発泡樹脂成形品の接合構造を適用した上下二分割構造のラゲージサイドトリムを示す正面図である。
【図２】図１中II−II線断面図である。
【図３】図２に示すトリムアッパーとトリムロアとの接合構造を示す拡大断面図である。
【図４】図２に示すトリムアッパーとトリムロアとの接合構造における溶着用ボス挿入時の状態を示す説明図である。
【図５】図２に示すトリムアッパーとトリムロアとの接合構造における溶着用ボス締結時の状態を示す説明図である。
【図６】図２に示すトリムアッパーとトリムロアとの接合構造における溶着用ボス締結時の別の態様を示す説明図である。
【図７】図１に示すラゲージサイドトリムにおけるトリムロアを成形する際に使用する成形金型の構成を示す概要図である。
【図８】図７に示す成形金型におけるトリムロアの取付孔近傍部分に対応する箇所の構成を示す説明図である。
【図９】図１に示すラゲージサイドトリムにおけるトリムロアの成形方法における発泡樹脂材料の射出充填工程を示す説明図である。
【図１０】図１に示すラゲージサイドトリムにおけるトリムロアの成形方法における可動側金型の後退操作状態を示す説明図である。
【図１１】図１０に示す可動側金型の後退動作時における取付孔近傍部分の金型追随状態を示す説明図である。
【図１２】図１に示すラゲージサイドトリムにおけるトリムロアの成形方法における発泡成形工程を示す説明図である。
【図１３】図１２に示す発泡成形工程における取付孔近傍部分の状態を示す説明図である。
【図１４】従来のラゲージサイドトリムを示す正面図である。
【図１５】図１４中XV−XV線断面図である。
【図１６】従来のラゲージサイドトリムにおけるトリムロアの成形に使用する成形金型の概要を示す説明図である。
【図１７】従来の成形金型における取付孔近傍部分を示す説明図である。
【図１８】従来のトリムアッパーとトリムロアとの締結状態時の不具合を示す説明図である。
【発明を実施するための形態】
【００１７】
以下、本発明に係る発泡樹脂成形品の接合構造の実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１８】
図１乃至図１３は本発明の一実施例を示すもので、図１は本発明に係る発泡樹脂成形品の接合構造を適用して製作した上下二分割構造のラゲージサイドトリムを示す正面図、図２，図３は同ラゲージサイドトリムにおけるトリムアッパーとトリムロアとの接合部分の構成を示す各断面図、図４乃至図６は同ラゲージサイドトリムにおけるトリムアッパーとトリムロアとの接合構造を示す各説明図、図７はラゲージサイドトリムにおけるトリムロアを成形する際に使用する成形金型の概略構成を示す説明図、図８は同成形金型におけるトリムロアの取付孔近傍部分の構成を示す説明図、図９乃至図１３はラゲージサイドトリムにおけるトリムロアの成形方法の各工程を示す説明図である。
【００１９】
図１乃至図３において、ラゲージサイドトリム１０は、車両のラゲージルームの側壁パネルの室内面側に取り付けられる内装部品であり、トリムアッパー２０とトリムロア３０との上下二分割体から構成されている。トリムアッパー２０及びトリムロア３０には、それぞれ各種機能部品、例えば、備品を吊り下げるための多機能型フックや、空調用のエアグリル、あるいはスピーカグリル等がトリムアッパー２０、トリムロア３０と別体、あるいは一体に設けられているが、本発明の要旨ではないため、ここではこれら機能部品やその取付構造については省略する。
【００２０】
ところで、ラゲージサイドトリム１０を構成するトリムアッパー２０及びトリムロア３０の素材としては、トリムアッパー２０は、射出成形工法を採用した通常の樹脂成形品が使用されている。その材質として使用できる合成樹脂材料は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択される。
【００２１】
一方、トリムロア３０は、発泡樹脂成形品が使用されており、この発泡樹脂成形品は、合成樹脂材料中に発泡剤を混入した発泡樹脂材料が使用されている。例えば、使用できる合成樹脂材料としては、トリムアッパー２０に使用した樹脂材料が使用できるため、ここでは省略する。また、合成樹脂材料に対して添加される発泡剤としては、アゾジカルボンアミド等の有機発泡剤、重炭酸ナトリウム等の無機発泡剤を使用することができる。
【００２２】
次に、図２乃至図６に基づいて、トリムアッパー２０とトリムロア３０との接合構造について説明する。すなわち、本発明においては、トリムアッパー２０とトリムロア３０を接合する際、双方の締結位置を安定化させて合わせ精度の優れたラゲージサイドトリム１０を提供できることが特徴である。まず、トリムアッパー２０の裏面には、溶着用ボス２１が立設されており、この溶着用ボス２１の基部には、十字状の補強リブ２２が一体化されている。そして、上記溶着用ボス２１と対応する位置におけるトリムロア３０には、取付孔３３が開設されているとともに、トリムアッパー２０の補強リブ２２面に対向する側には、同心上の環状リブ３４，３５が二重リブ構造として設けられている。図３に示すように、この環状リブ３４，３５のリブ幅ｄ１は１〜１．５ｍｍ、双方の環状リブ３４，３５の間隔ｄ２は１〜１．５ｍｍ、リブ高さｄ３は１ｍｍで、環状リブ３４，３５のコーナーＲは０．５ｍｍにそれぞれ設定されている。
【００２３】
そして、図４に示すように、トリムアッパー２０とトリムロア３０とを位置決めして、溶着用ボス２１を締結した状態においては、トリムロア３０の取付孔３３の周縁に立設した環状リブ３４，３５の先端がトリムアッパー２０の補強リブ２２面に当接することで、図５に示すように、トリムアッパー２０とトリムロア３０との締結位置を常に安定化させることができ、溶着用ボス２１の先端に図示しない超音波加工ホーンでカシメ加工を施すことで、図２に示すように、トリムアッパー２０とトリムロア３０とを強固に一体化することができる。尚、超音波溶着に替えて、熱溶着加工を施しても良く、また、溶着用ボス２１に替えて、ビス止め用ボスを採用し、裏面側からビスを締結することでトリムアッパー２０とトリムロア３０とを接合一体化することができる。
【００２４】
更に、図６に示すように、本発明においては、トリムロア３０における取付孔３３の周縁には、取付孔３３周縁に相当する内側の環状リブ３４と、その外側に一回り大きく外側の環状リブ３５を設けたため、例えば、トリムロア３０成形時において、内側の環状リブ３４に形状垂れが発生しても、外側の環状リブ３５の先端がトリムアッパー２０の補強リブ２２と当接することで、所定位置にトリムロア３０を精度良く位置決めでき、合わせ精度を常に良好に維持することができる。尚、この実施例においては、トリムロア３０における取付孔３３の周縁に二重の環状リブ３４，３５を設けたが、所望によりリブの設定数を２乃至５本の範囲内で増減させることができる。
【００２５】
尚、本発明においては、トリムロア３０における取付孔３３周縁に複数の環状リブ３４，３５を設けて、トリムアッパー２０とトリムロア３０とを組み付ける際の合わせ精度を高める効果が期待できるが、この環状リブ３４，３５は、トリムロア３０を成形する際の成形性能を高める付随的な効果を備えている。
【００２６】
次いで、図７，図８は、ラゲージサイドトリム１０におけるトリムロア３０を成形する際に使用する成形金型４０の概略構成を示すもので、この成形金型４０は、可動側金型５０と固定側金型６０と射出機７０とから大略構成されている。更に詳しくは、上記可動側金型５０はプレスラム５１の動作により、型開き位置、型締め位置に加えて発泡成形位置の３つのポジションをとるように駆動される。一方、固定側金型６０は、射出機７０から供給される発泡樹脂材料Ｍの樹脂通路となるホットランナ６１、ゲート６２を通じてキャビティＣ内に発泡樹脂材料Ｍが供給されるとともに、成形後の発泡樹脂成形品であるトリムアッパー２０を突出すためのエジェクタピン６３が内装されている。
【００２７】
更に、可動側金型５０と固定側金型６０との間で画成されるキャビティＣ形状に沿ってトリムロア３０が成形されるが、トリムロア３０に開設される取付孔３３を形成するために、図８に示すように、可動側金型５０の型面所定位置に取付孔３３の形状や寸法に合致する円筒状の突部５２が突設形成されており、円筒状の突部５２の根元周縁には、トリムロア３０の取付孔３３に環状リブ３４，３５を形成するための環状の周溝５３，５４が凹設されている。更に、突部５２を受けるために、固定側金型６０については、凹部６４が設けられている。
【００２８】
次いで、図９乃至図１３に基づいて、発泡樹脂成形品であるトリムロア３０を精度良く成形できる成形方法について逐次説明する。まず、図９に示すように、プレスラム５１により可動側金型５０は固定側金型６０に対して型締めされ、型締め位置にある時、射出機７０からホットランナ６１、ゲート６２を通じてキャビティＣ内に発泡樹脂材料Ｍが射出充填される。この時、図示はしないが、外部からキャビティＣ内にエアを強制導入し、発泡樹脂材料Ｍが発泡反応を行なわないようにキャビティＣ内に樹脂を充填するカウンタープレッシャー工法を採用することもできる。
【００２９】
次いで、発泡樹脂材料Ｍの射出充填工程が完了すれば、図１０に示すように、可動側金型５０が型開き方向に微小ストローク後退する。この可動側金型５０の後退動作では、キャビティＣ内には未発泡状態の半成形品Ｐが収容されており、可動側金型５０の後退ストロークに対応する発泡スペースＳが確保されることになる。そして、トリムロア３０の取付孔３３に対応する部分は、図１１に示すように、円筒状の突部５２の根元周縁に設けた環状の周溝５３，５４に半成形品Ｐの一部が入り込んでいるため、半成形品Ｐは、可動側金型５０の後退動作に追随することで、取付孔３３近傍のコーナー部分において形状垂れが生じない。そして、図１２に示すように、未発泡状態の半成形品Ｐは、発泡反応が誘起され、型クリアランスを大きく設定したスペース内でスキン層３１と発泡層３２とからなるトリムロア３０が所望の厚みを備えるように成形される。この時、図１３に示すように、取付孔３３の縁部については、可動型金型５０の環状の周溝５３，５４に発泡樹脂材料Ｍが入り込んで環状リブ３４，３５が成形されるため、キャビティ形状に沿った精度の良い成形が可能となる。
【００３０】
このように、本発明によれば、トリムロア３０で例示する発泡樹脂成形品を所要形状に成形する際、取付孔３３の縁部に形状垂れが生じることがなく、精度の良い形状出しが可能になるとともに、トリムアッパー２０とトリムロア３０との接合一体化についても、両者の安定した締結位置を確保でき、合わせ精度を高めたラゲージサイドトリム１０を成形することができるという効果がある。
【産業上の利用可能性】
【００３１】
以上説明した実施例は、上下二分割タイプのラゲージサイドトリム１０において、樹脂成形品であるトリムアッパー２０と発泡樹脂成形品であるトリムロア３０との接合構造に本発明を適用したが、本発明を適用する用途は、これに限定されることなく、樹脂成形品と発泡樹脂成形品との接合構造全般に適用できる。例えば、トリムアッパー２０とトリムロア３０とからなるラゲージサイドトリム１０以外にも、ドアトリム、リヤサイドトリム等の分割構造は勿論、発泡樹脂成形品からなるドアトリム本体に対して樹脂成形品からなるポケットバックカバーをボスの締結固定により接合一体化する構造に適用することもできる。更に、発泡樹脂材料の射出充填時、キャビティＣ内に圧空エアを供給するカウンタープレッシャー工法を採用することも可能である。
【符号の説明】
【００３２】
１０  ラゲージサイドトリム
２０  トリムアッパー（樹脂成形品）
２１  溶着用ボス
２２  補強リブ
３０  トリムロア（発泡樹脂成形品）
３１  スキン層
３２  発泡層
３３  取付孔
３４，３５  環状リブ
４０  成形金型
５０  可動側金型
５１  プレスラム
５２  円筒状の突部
５３，５４  環状の周溝
６０  固定側金型
６１  ホットランナ
６２  ゲート
６３  エジェクタピン
６４  凹部
７０  射出機
Ｃ  キャビティ
Ｍ  発泡樹脂材料
Ｐ  半成形品
Ｓ  発泡スペース
【図１】
2010234688.tif 000003
【図２】
2010234688.tif 000004
【図３】
2010234688.tif 000005
【図４】
2010234688.tif 000006
【図５】
2010234688.tif 000007
【図６】
2010234688.tif 000008
【図７】
2010234688.tif 000009
【図８】
2010234688.tif 000010
【図９】
2010234688.tif 000011
【図１０】
2010234688.tif 000012
【図１１】
2010234688.tif 000013
【図１２】
2010234688.tif 000014
【図１３】
2010234688.tif 000015
【図１４】
2010234688.tif 000016
【図１５】
2010234688.tif 000017
【図１６】
2010234688.tif 000018
【図１７】
2010234688.tif 000019
【図１８】
2010234688.tif 000020